【事件の表示】
　特願２００８−２５７７３２「遊技機」拒絶査定不服審判事件〔平成２２年　４月１５日出願公開、特開２０１０−　８２３８０〕について、次のとおり審決する。
【結　論】
　本件審判の請求は、成り立たない。
【理　由】
第１．手続の経緯等
　本願の手続の経緯概要は以下のとおりである。
　平成２０年１０月　２日　出願
　平成２３年　６月１５日　拒絶理由通知
　平成２３年　８月　５日　手続補正
　平成２３年　８月２９日　拒絶理由通知（最後）
　平成２３年１１月　４日　手続補正Ａ
　平成２４年　２月　６日　補正却下（手続補正Ａ）、拒絶査定
　平成２４年　５月１１日　本件審判請求、手続補正
　　
第２．平成２４年５月１１日付けの手続補正についての補正却下の決定
［補正却下の決定の結論］
　平成２４年５月１１日付けの手続補正（以下、「本件補正」という。）を却下する。
　
［理由］
１．補正の内容
　平成２３年１１月４日付けの手続補正は平成２４年２月６日付けで却下されているので、本件補正は平成２３年８月５日付け手続補正により補正された明細書、特許請求の範囲を補正するものであって、その補正の前後の特許請求の範囲は以下のとおりである。
　
（補正前）
「【請求項１】
　大当たり当選確率が通常状態の場合に通常演出を行い、大当たり当選確率が通常状態よりも高い高確率状態の場合に高確率状態の演出を行い、遊技状態が当該通常状態または当該高確率状態にあるときに当該高確率状態の演出と当該通常演出とが識別困難な潜伏状態の演出を制御する遊技機であって、
　遊技領域に打ち出された遊技球のうち入賞口に入賞せずに排出口から当該遊技領域の外に排出される遊技球を検出する検出手段と、
　前記検出手段による遊技球の検出が継続的に行われていない停止期間を計測する計測手段と、
　遊技状態が前記高確率状態にある場合に、前記計測手段にて計測された前記停止期間に基づいて、遊技状態が当該高確率状態にあることを報知または示唆する報知手段とを備えたことを特徴とする遊技機。
【請求項２】
　前記報知手段は、前記計測手段にて計測された前記停止期間が所定時間を超えた後に、遊技状態が前記高確率状態にあることを報知または示唆することを特徴とする請求項１記載の遊技機。
【請求項３】
　前記報知手段は、前記計測手段にて計測された前記停止期間が所定時間を超え、さらに所定の付加条件を満たす場合に、遊技状態が前記高確率状態にあることを報知または示唆することを特徴とする請求項１記載の遊技機。
【請求項４】
　前記報知手段は、遊技者による所定の入力装置からの操作入力があることを前記所定の付加条件とすることを特徴とする請求項３記載の遊技機。
【請求項５】
　前記報知手段は、前記高確率状態を設定した大当たり当選の図柄が予め定めた図柄の種類と一致することを前記所定の付加条件とすることを特徴とする請求項３記載の遊技機。
【請求項６】
　前記報知手段は、遊技者にゲームを提示し、提示した当該ゲームに当該遊技者が正解または勝利すること、または当該ゲームでの当該遊技者の回答が所定の正解率を上回ることまたは当該遊技者の対戦成績が所定の勝率を上回ることを前記所定の付加条件とすることを特徴とする請求項３記載の遊技機。
【請求項７】
　前記報知手段は、当該遊技機の前面に遊技者が存在することを前記所定の付加条件とすることを特徴とする請求項３記載の遊技機。
【請求項８】
　前記報知手段は、前記計測手段にて計測された前記停止期間が所定時間を超え、さらに客待ち用の画面が表示された後に、遊技状態が前記高確率状態にあることを報知または示唆することを特徴とする請求項１記載の遊技機。
【請求項９】
　前記報知手段は、遊技状態が前記高確率状態にあることの可能性の大きさによって遊技状態が当該高確率状態にあることを示唆することを特徴とする請求項１記載の遊技機。」
　
（補正後）
「【請求項１】
　大当たり当選確率が通常状態の場合に通常演出を行い、大当たり当選確率が通常状態よりも高い高確率状態の場合に高確率状態の演出を行い、遊技状態が当該通常状態または当該高確率状態にあるときに当該高確率状態の演出と当該通常演出とが識別困難な潜伏状態の演出を制御する遊技機であって、
　遊技領域に打ち出された遊技球のうち入賞口に入賞せずに排出口から当該遊技領域の外に排出される遊技球を検出する検出手段と、
　前記検出手段による遊技球の検出が継続的に行われていない停止期間を計測する計測手段と、
　遊技状態が前記高確率状態にある場合に、前記計測手段にて計測された前記停止期間に基づいて、遊技状態が当該高確率状態にあることを報知または示唆する報知手段と
　を備え
、
　
前記報知手段は、前記計測手段にて計測された前記停止期間が所定時間を超え、かつ、客待ち用の画面が表示され、さらに遊技機本体が備える演出ボタンの遊技者による押し下げ操作が行われると、遊技状態が前記高確率状態にある場合に遊技状態が当該高確率状態にあることの報知または示唆を当該客待ち用の画面に表示することで行い、または、遊技状態が当該高確率状態にあることを報知または示唆する画面を当該客待ち用の画面と交互に表示する
　【請求項
２
　前記報知手段は、遊技状態が前記高確率状態にあることの可能性の大きさによって遊技状態が当該高確率状態にあることを示唆することを特徴とする請求項１記載の遊技機。」
　
　上記補正は、補正前の【請求項２】〜【請求項８】を削除し、補正前の【請求項９】を【請求項２】とするとともに、補正前の【請求項１】の「報知手段」が「前記計測手段にて計測された前記停止期間が所定時間を超え、かつ、客待ち用の画面が表示され、さらに遊技機本体が備える演出ボタンの遊技者による押し下げ操作が行われると、遊技状態が前記高確率状態にある場合に遊技状態が当該高確率状態にあることの報知または示唆を当該客待ち用の画面に表示することで行い、または、遊技状態が当該高確率状態にあることを報知または示唆する画面を当該客待ち用の画面と交互に表示する」との構成を有する旨、限定するものであり、特許法１７条の２第５項１号の請求項の削除及び２号の特許請求の範囲の減縮を目的とするものに該当する。
　そこで、特許請求の範囲の減縮を目的とする補正後の【請求項１】に係る発明（以下、「本願補正発明」という。）が特許出願の際独立して特許を受けることができるものであるか（特許法１７条の２第６項において準用する同法１２６条７項の規定に適合するか）について以下に検討する。
　
２．引用文献
　原査定の拒絶の理由（平成２３年８月２９日付け拒絶理由通知参照）に引用された特開２００６−３４０７５８号公報（公開日：平成１８年１２月２１日）（以下、「引用文献１」という。）には、以下の事項が図面とともに記載されている。
・記載事項１
　「本態様（２−１）は、・・・
　前記遊技状態報知制御手段（遊技状態告知制御手段２９０）が、特別遊技終了後、前記特別遊技後遊技状態決定手段（抽選確率状態移行決定実行手段１６１）により決定された前記状態に滞在している状況下、所定条件を充足するまで、当該状態の報知を禁止することを特徴とするパチンコ遊技機である。」（段落【００１３】）
・記載事項２
　「本態様（２−５）は、前記パチンコ遊技機は、
　遊技者が遊技を中止したか否かを確認するための遊技確認手段（ハンドル把持センサ１０ａ）を更に有しており、
　前記遊技状態報知制御手段（遊技状態告知制御手段２９０）は、
　前記第一識別情報表示部（特別図柄表示部１４ａ）での第一識別情報（特別図柄）の変動表示が行われておらず、かつ、前記遊技確認手段（ハンドル把持センサ１０ａ）により遊技者が遊技を中止したことが確認された場合、前記所定条件を充足したと判定する、前記態様（２−１）〜（２−３）のいずれか一つのパチンコ遊技機である。」（段落【００１７】）
・記載事項３
　「以下、本発明の最良形態として、確率変動当たり図柄と通常当たり図柄に基づき特別遊技Ａを実行する一方、突然確率変動当たり図柄と小当たり図柄に基づき特別遊技Ｂを実行すると共に、特別遊技Ｂ終了後には始動入賞口を易開放状態（時間短縮遊技状態）にせず、かつ、遊技状態を所定期間告知しない第一の最良形態を先ず説明する。」（段落【００５１】）
・記載事項４
　「
遊技内容に興趣性を付与する装飾図柄表示部１４ｂ上での各種演出を司る表示制御装置（サブ基板）２００
・記載事項５
　「ここで、
表示制御装置２００は、非遊技状態時、通常遊技状態時、確率変動遊技状態時、非告知遊技時及び特別遊技状態時の夫々で、様々な画像表示処理を行っている。
表示制御装置２００は、図柄非変動中（例えば、非遊技状態）におけるデモ表示制御処理２０００と、・・を行う。
・記載事項６
　「まず、図１４のフローチャートを参照しながら、第一の最良形態に係るパチンコ遊技機の
遊技状態告知処理２１００
遊技状態告知制御手段２９０は、装飾図柄表示部１４ｂ上で現在の遊技状態を告知する。
・記載事項７
　「他方、ステップ２１０４、ステップ２１０６及びステップ２１１０でＮｏの場合、ステップ２１１４で、遊技状態告知判定手段２９１は、告知用カウンタ２９１ｂを参照して、カウンタ値が０であるか否か（換言すれば、特別遊技Ｂ終了後の図柄変動が１０回転目に突入したか否か）を判定する。ステップ２１１４でＹｅｓの場合、ステップ２１１２に移行し、上記のように現在の遊技状態を告知する等の処理を行う。他方、ステップ２１１４でＮｏの場合には、
ステップ２１１６で、遊技状態告知判定手段２９１は、主制御装置１００側から図柄情報を受信していないか、即ち、図柄停止中であるか否かを判定する。ステップ２１１６でＹｅｓの場合、ステップ２１１８で、遊技状態告知判定手段２９１は、当該非受信状態が所定時間に到達しているか否かを判定する。ステップ２１１８でＹｅｓの場合には、ステップ２１１２に移行し、前記の遊技状態の告知処理を行う。他方、ステップ２１１８でＮｏの場合には、ステップ２１２０で、操作情報受信手段２３０は、遊技者のハンドル把持センサ１０ａから把持情報を受信しているか否かを確認し、当該ステップでＹｅｓの場合にも、ステップ２１１２に移行し、前記の遊技状態の告知処理を行う
・記載事項８
　「次に、図１８のフローチャートを参照しながら、第一の最良形態に係るパチンコ遊技機の特別遊技中表示制御処理２５００について説明する。・・・このように、突然確率変動図柄と小当たり図柄の場合には、当該特別遊技終了後の遊技状態の告知が一旦禁止される状況になる。そして、特別遊技終了後、装飾図柄の図柄変動毎に、告知用カウンタ２９１ｂにセットされたカウンタ値が１づつ減算され（ステップ２２０８）、所定条件を充足した場合に、現在の遊技状態が告知されることになる（ステップ２１１２）。」（段落【０１０５】）
・記載事項９
　「このように、確率変動当たり図柄と通常当たり図柄の場合には、突然確率変動図柄と小当たり図柄の場合と異なり、当該特別遊技終了後の遊技状態の告知がただちに許可される状況になる。」（段落【０１０６】）
・記載事項１０
　「次に、図３４のタイミングチャートを参照しながら、第一の最良形態に係るパチンコ遊技機における、停止図柄の種類に基づく、各種遊技状態の変化の様子を説明する。まず、「
確率変動遊技状態／通常遊技状態」は、夫々、遊技内容決定乱数に基づき高確率で特別遊技移行の抽選を行う確率変動遊技状態（高確率抽選状態）、前記高確率抽選状態よりも低確率で特別遊技移行の抽選を行う通常遊技状態（低確率抽選状態）を示している。
・記載事項１１
　「小当たり図柄の場合、当該当たりに基づく特別遊技後も、当該特別遊技前と何ら遊技状態は変化しない。次に、確率変動当たり図柄の場合、当該当たりに基づく特別遊技後は、特別遊技抽選確率に関する遊技状態（通常遊技状態→確率変動遊技状態）及び普通図柄始動入賞口易開放に関する遊技状態（ＯＦＦ→ＯＮ）のいずれも変化する。最後に、突然確率変動当たり図柄の場合、当該当たりに基づく特別遊技後は、特別遊技抽選確率に関する遊技状態（通常遊技状態→確率変動遊技状態）は変化するが、普通図柄始動入賞口易開放に関する遊技状態は変化しない。このように、第一の最良形態に係るパチンコ遊技機では、小当たり及び突然確率変動当たりの場合は、特別遊技終了後、普通図柄始動入賞口易開放に関する遊技状態をいずれも同じくするように構成されている。したがって、特別遊技終了後の特別遊技抽選確率に関する遊技状態を明確に告知しない状況下では、
特別遊技終了後の遊技状態が確率変動遊技状態であるか否かについて遊技者が判別困難な状況を構築する
・記載事項１２
　「次に、図３５のタイミングチャートを参照しながら、第一の最良形態に係るパチンコ遊技機における、停止図柄の種類に基づく、特別遊技後の遊技状態の告知状況の一例を説明する。尚、図中、「特定態様Ａ」は、特別図柄が特別遊技Ａに係る図柄（即ち、確率変動当たり図柄、通常当たり図柄）で停止したことを示しており、「特定態様Ｂ」は、特別図柄が特別遊技Ｂに係る図柄（即ち、突然確率変動当たり図柄、小当たり図柄）で停止したことを示している。そこで当該図を時系列的に説明すると、まず、特定態様Ａ（普通当たり図柄）の停止に基づき、特別遊技状態Ａに移行する。この際、遊技状態告知禁止フラグはオフであるので、遊技状態は告知される（ＯＮ）。即ち、特定態様が普通当たり図柄であるので、例えば「普通当たり」という告知が装飾図柄表示部１４ｂ上で行われることになる。尚、仮に特定態様が確率変動当たり図柄であった場合には、例えば「確率変動当たり」という告知が装飾図柄表示部１４ｂ上で行われることになる。次に、特定態様Ｂ（小当たり）の停止に基づき、特別遊技状態Ｂに移行する。この際、特定態様Ｂの当選に伴い遊技状態告知禁止フラグがＯＮになるので、当該特別遊技中に遊技状態の告知はされない。そして、当該特別遊技終了後、５回転目に遊技状態が告知される（例えば、図３０参照）。ここで、本最良形態では、最大で１０回転まで告知されないところ、内部的に通常遊技状態である場合には、１０回転に満たない場合でも抽選で告知を行うように構成されており、今回の告知はこの場合に該当する。次に、特定態様Ｂ（小当たり）の停止に基づき、特別遊技状態Ｂに移行する。しかしながら、今回は前回と異なり、当該特別遊技終了後、１０回転目まで遊技状態が告知されない。これは、１０回転に満たない場合での抽選に基づく告知に外れ続けたことを意味する。最後に、特定態様Ｂ（突然確率変動当たり）の停止に基づき、特別遊技状態Ｂに移行する。今回は、特別遊技Ｂ終了後の遊技状態が確率変動状態なので、１０回転目で遊技状態が告知される（図２９参照）。」（段落【０１２０】）
　
　以上を含む全記載及び図示によれば、引用文献１には次の発明が記載されていると認められる。
　「高確率で特別遊技移行の抽選を行う確率変動遊技状態時、前記確率変動遊技状態よりも低確率で特別遊技移行の抽選を行う通常遊技状態時、特別遊技終了後の遊技状態が確率変動遊技状態であるか否かについて遊技者が判別困難な状況である非告知遊技時の夫々で、様々な画像表示処理を行い、遊技内容に興趣性を付与する装飾図柄表示部１４ｂ上での各種演出を司る表示制御装置（サブ基板）２００を具備する遊技機であって、
　遊技状態告知処理２１００において、ステップ２１１６でＹｅｓ、ステップ２１１８でＮｏ、ステップ２１２０でＹｅｓの場合に、装飾図柄表示部１４ｂ上で現在の遊技状態を告知する遊技状態告知制御手段２９０とを備え、
　表示制御装置（サブ基板）２００は、図柄非変動中（例えば、非遊技状態）におけるデモ表示制御処理２０００を行う、遊技機。」（以下、「引用発明」という。）
　
３．対比
　引用発明について、以下のことがいえる。
（１）「高確率で特別遊技移行の抽選を行う確率変動遊技状態時、前記確率変動遊技状態よりも低確率で特別遊技移行の抽選を行う通常遊技状態時、特別遊技終了後の遊技状態が確率変動遊技状態であるか否かについて遊技者が判別困難な状況である非告知遊技時の夫々で、様々な画像表示処理を行い、遊技内容に興趣性を付与する装飾図柄表示部１４ｂ上での各種演出を司る表示制御装置（サブ基板）２００を具備する遊技機」について
　引用発明の「低確率で特別遊技移行の抽選を行う通常遊技状態時、・・・様々な画像表示処理を行い、・・・各種演出を司る」は本願補正発明の「大当たり当選確率が通常状態の場合に・・・演出を行い」に相当し、引用発明の「高確率で特別遊技移行の抽選を行う確率変動遊技状態時、・・・様々な画像表示処理を行い、・・・各種演出を司る」は本願補正発明の「大当たり当選確率が通常状態よりも高い高確率状態の場合・・・演出を行い」に相当する。そして、引用発明の「非告知遊技」はその時の遊技状態が確率変動遊技状態か通常遊技状態か遊技者にとって不明な状態であり、当然その時に行われる演出は、確率変動遊技状態か通常遊技状態かを遊技者が認識することができないものであって、「高確率状態の演出と通常演出とが識別困難な潜伏状態の演出」ということができるから、引用発明の「特別遊技終了後の遊技状態が確率変動遊技状態であるか否かについて遊技者が判別困難な状況である非告知遊技時、・・・様々な画像表示処理を行い、・・・各種演出を司る」は本願補正発明の「遊技状態が当該通常状態または当該高確率状態にあるときに当該高確率状態の演出と当該通常演出とが識別困難な潜伏状態の演出を制御する」に相当する。
　そして、本願補正発明の「通常演出」、「高確率状態の演出」の技術的意義は後述するように不明確であるが、この点を別にして、本願補正発明と引用発明は、「大当たり当選確率が通常状態の場合に演出を行い、大当たり当選確率が通常状態よりも高い高確率状態の場合に演出を行い、遊技状態が当該通常状態または当該高確率状態にあるときに当該高確率状態の演出と当該通常演出とが識別困難な潜伏状態の演出を制御する遊技機」である点で共通している。
（２）「遊技状態告知処理２１００において、ステップ２１１６でＹｅｓ、ステップ２１１８でＮｏ、ステップ２１２０でＹｅｓの場合に、装飾図柄表示部１４ｂ上で現在の遊技状態を告知する遊技状態告知制御手段２９０」について
　上記記載事項７及び図１４によれば、ステップ２１１６は「メイン側から図柄情報を受信せず？」か否かを判定するものでＹｅｓであれば図柄情報を受信していない（すなわち、変動表示が行われていない）ことを意味し、ステップ２１１８は非受信状態が所定時間に到達しているか否か判定するものでＮｏであれば非受信状態が所定時間に到達していないことを意味している。
　更に、「ステップ２１２０でＹｅｓの場合」について検討すると、図１４のＳ２１２０の個所には「遊技者把持？」と記載されているだけで、当該記載だけでは判定する条件が明確でない。しかし、上記記載事項１の「所定条件を充足するまで、当該状態の報知を禁止する」との記載、上記記載事項２の「第一識別情報（特別図柄）の変動表示が行われておらず、かつ、前記遊技確認手段（ハンドル把持センサ１０ａ）により遊技者が遊技を中止したことが確認された場合、前記所定条件を充足したと判定する」との記載を参酌すると、ステップ２１２０の判定条件は「遊技者把持情報を受信せず？」であることは明らかである。
　そうすると、引用発明は、変動表示が行われておらず、かつ、ハンドル把持センサ１０ａによる遊技者把持情報を受信しないことを報知する条件すなわち「報知条件」として現在の遊技状態を告知するものであって、現在の遊技状態が「確率変動遊技状態」であれば「確率変動状態」にあることを報知するものである。また、遊技状態告知制御手段２９０は、現在の遊技状態を告知すなわち報知するものであるから、「報知手段」ということができる。
　一方、本願補正発明の「前記計測手段にて計測された前記停止期間に基づいて、」も報知を行う条件であるから、「報知条件」ということができる。
　以上により、本願補正発明と引用発明は、「遊技状態が高確率状態にある場合に、報知条件に基づいて、遊技状態が当該高確率状態にあることを報知または示唆する報知手段」を備えた点で共通している。
（３）「表示制御装置（サブ基板）２００は、図柄非変動中（例えば、非遊技状態）におけるデモ表示制御処理２０００を行う」について
　引用発明の「デモ表示制御処理」はデモ表示の制御を行うことを意味しており、「デモ表示」として「客待ち用の画面」を表示することは遊技機の分野において技術常識であるから、本願発明と引用発明は「客待ち用の画面を表示する」点で共通している。
　
　以上により、本願補正発明と引用発明は、
　「大当たり当選確率が通常状態の場合に演出を行い、大当たり当選確率が通常状態よりも高い高確率状態の場合に演出を行い、遊技状態が当該通常状態または当該高確率状態にあるときに当該高確率状態の演出と当該通常演出とが識別困難な潜伏状態の演出を制御する遊技機であって、
　遊技状態が高確率状態にある場合に、報知条件に基づいて、遊技状態が当該高確率状態にあることを報知または示唆する報知手段を備え、
　客待ち用の画面を表示する、遊技機。」の点で一致し、以下の点で相違する。
　
＜相違点１＞
　大当たり当選確率が通常状態の場合に行う演出及び大当たり当選確率が通常状態よりも高い高確率状態の場合に行う演出が、本願補正発明では「通常演出」及び「高確率状態の演出」であるのに対し、引用発明ではそのような演出であるか不明である点。
＜相違点２＞
　本願補正発明は「遊技領域に打ち出された遊技球のうち入賞口に入賞せずに排出口から当該遊技領域の外に排出される遊技球を検出する検出手段及び前記検出手段による遊技球の検出が継続的に行われていない停止期間を計測する計測手段を備え」たものであって、「遊技状態が高確率状態にある場合に、」「報知手段」が「遊技状態が当該高確率状態にあることを報知または示唆する」報知条件が、本願補正発明では「前記計測手段にて計測された前記停止期間」であるのに対し、引用発明では「変動表示が行われておらず、かつ、ハンドル把持センサ１０ａによる遊技者把持情報を受信しないこと」である点。
＜相違点３＞
　報知手段による遊技状態が前記高確率状態にある場合に遊技状態が当該高確率状態にあることの報知または示唆が、本願補正発明では、前記計測手段にて計測された前記停止期間が所定時間を超え、かつ、客待ち用の画面が表示され、さらに遊技機本体が備える演出ボタンの遊技者による押し下げ操作が行われると、当該客待ち用の画面に表示することで行い、または、当該客待ち用の画面と交互に表示するのに対し、引用発明では、客待ち用の画面の表示及び遊技状態が前記高確率状態にある場合に遊技状態が当該高確率状態にあることの報知が行われるが、本願補正発明のように行われない点。
　
４．判断
　上記相違点について検討する。
（１）相違点１について
　相違点１に係る「通常演出」及び「高確率状態の演出」は、単に「通常状態における演出」、「高確率状態における演出」を意味するのか、「通常状態であることが認識できる演出」、「高確率状態であることが認識できる演出」を意味するのか、その技術的意義が不明確である。
　そこで、前者の意味として検討すると、引用発明における、通常遊技状態において実行する演出は「通常状態における演出」、確率変動遊技状態において実行する演出は「高確率状態における演出」といえるから、相違点１は実質的な相違点とはならない。
　また、本願補正発明の目的等を総合勘案して、後者の意味として検討すると、従来遊技機において、特別図柄の態様、表示画面の態様（文字による表示、背景画面等含む）等の表示画面の演出に関して、通常遊技状態における演出と確率変動状態における演出を異なるものとし、表示画面を見る遊技者に現在の遊技状態が通常遊技状態であるか確率変動遊技状態であるか認識させることは、慣用手段である。
　そうすると、引用発明においても、その課題等を参酌すると、非告知遊技時以外には遊技状態が通常遊技状態であるか確率変動遊技状態であるかを遊技者に認識させる演出が実行されていると解するのが自然であって、相違点１は実質的な相違点ではない。仮にそうでないとしても、引用発明において非告知遊技時以外の遊技状態に上記慣用技術を採用して、相違点１に係る本願補正発明の構成とすることは、当業者にとって想到容易である。
　
（２）相違点２について
　原査定の拒絶の理由に引用された特開２００２−３２０７５５号公報（以下、「引用文献２」という。）には、
　「遊技が行われなくなった遊技の中断開始から所定時間経過した時点を契機として遊技の中断を判断し、遊技の中断開始後の経過時間の監視を開始し、当該経過時間に応じた情報を表示することで当該パチンコ機がどのくらいの時間遊技されていないのかを、遊技者が認識することができる。」（段落【０００９】）、
　「一方、遊技球を回収するアウト口７の孔部には、入賞できなかったアウト球を検出するフォトインタラプタからなるアウト球検出スイッチＳＷ４６が設けられている。アウト球検出スイッチＳＷ４６は、アウト球検出出力を図３の遊技制御装置５０の遊技制御用ＣＰＵ５１に与え、ＲＯＭ５２に格納したプログラムに基づいて起動用タイマ５６を駆動させ、タイマ駆動から所定時間が経過した時点で、この起動用タイマ５６がタイムアップし、これにより遊技の中断を判断する。」（段落【００２５】）、
　「次に遊技の中断が発生した後の処理手順を示す図４のフローチャートを参照して、遊技者がついていない場合における本実施の形態のパチンコ機の動作について説明する。遊技の中断開始の段階のステップＳ１の例は、・・・また、ステップＳ１の別の例は遊技球を回収するアウト口７の孔部内に配置したフォトインタラプタからなるアウト球検出スイッチＳＷ４６が、入賞できなかったアウト球を検出した段階である。」（段落【００３７】）、
　「ステップＳ１で遊技制御用ＣＰＵ５１が遊技の中断開始と判断するとステップＳ２に移行し、遊技制御用ＣＰＵ５１はＲＯＭ５２に格納したプログラムに基づいて起動用タイマ５６をリセットしてから駆動させ、起動用タイマが減算処理を行う。」（段落【００３８】）、
　「遊技の中断開始の時点から所定時間経過しても、遊技の操作がなく、起動用タイマ５６がタイムアップした場合、すなわちステップＳ４でタイムアップと判断した場合には、ステップＳ５に移行する。このステップＳ５の段階では、遊技制御用ＣＰＵ５１はデモ表示のプログラムを実行して図柄表示装置にデモンストレーション画像（客待ち状態での画像）の表示を行うが、本実施の形態のパチンコ機では、ステップＳ５の段階で遊技制御用ＣＰＵ５１は遊技の中断後の経過時間の表示を開始する。」（段落【００３９】）、
　「遊技の中断後の経過時間の表示は、・・・また、図柄表示装置の画面上に表示する場合には、デモンストレーション画像を表示しないで画面上に経過時間のみを表示したり、所定時間経過毎に、経過時間（＊＊分経過しました。等）を文字情報として表示する。または、図柄表示装置のデモンストレーション画像に割り込んで経過時間を表示しても良い。」（段落【００４０】）、
　と記載されており、上記各記載における「アウト口７」、「入賞できなかった」、「アウト球検出スイッチＳＷ４６」、「起動用タイマ５６を駆動させ、タイマ駆動から（の）所定時間」、「遊技制御用ＣＰＵ５１」、「起動用タイマ５６がタイムアップした場合」は、本願補正発明の「排出口」、「遊技領域に打ち出された遊技球のうち入賞口に入賞せず」、「当該遊技領域の外に排出される遊技球を検出する検出手段」、「前記検出手段による遊技球の検出が継続的に行われていない停止期間」、「停止期間を計測する計測手段」、「停止期間が所定時間を超え」に相当する。
　そして、引用文献２に記載された技術的事項は、起動用タイマ５６がタイムアップした場合にデモンストレーション画像（客待ち状態での画像）の表示を行うとともに、遊技の中断後の経過時間の表示を開始するものであるが、「遊技の中断後の経過時間の表示」は遊技の中断後の経過時間を「報知」するものといえ、当然その報知を行う報知手段を具備するものである。
　したがって、引用文献２には、本願補正発明の「遊技領域に打ち出された遊技球のうち入賞口に入賞せずに排出口から当該遊技領域の外に排出される遊技球を検出する検出手段と、前記検出手段による遊技球の検出が継続的に行われていない停止期間を計測する計測手段と、前記計測手段にて計測された前記停止期間に基づいて報知または示唆する報知手段とを備えた遊技機。」に相当する技術的事項Ａが実質的に記載されている。
　
　そうすると、引用発明も技術的事項Ａも遊技機に関するものであって、引用発明に技術的事項Ａを適用することに技術的困難性はないから、引用発明において、技術的事項Ａの「遊技領域に打ち出された遊技球のうち入賞口に入賞せずに排出口から当該遊技領域の外に排出される遊技球を検出する検出手段と、前記検出手段による遊技球の検出が継続的に行われていない停止期間を計測する計測手段と」を具備するものとし、「報知手段」が「遊技状態が当該高確率状態にあることを報知または示唆する」ことを「前記計測手段にて計測された前記停止期間」に基づいて行うこととすることにより、相違点２に係る本願補正発明の構成とすることは当業者にとって想到容易である。
　
（３）相違点３について
　上記（２）に摘記した引用文献２の記載によれば、上記引用文献２には、「計測手段にて計測された停止期間が所定時間を超えた場合に、客待ち用画面が表示される」という技術的事項Ｂが実質的に記載されている。
　また、原査定の拒絶の理由に引用された特開２００６−４７４号公報（以下、「引用文献３」という。）には、
　「第１可変表示装置４Ａによる特図ゲームが一定期間以上実行されないときには、主基板１１から表示制御基板１２に送られるデモンストレーション映像の表示を指示するコマンドに応答して、図２７（Ａ）に示すような報知情報６０Ａが第３可変表示装置４Ｃの表示領域に表示されることにより、第１可変表示装置４Ａによる特図ゲームにおける確変突入率が特定可能に報知される。ここで、確変突入率は、特図ゲームにて大当りにする旨の判定がなされたときに、確変大当りにする旨の判定がなされる確率である。また、第２可変表示装置４Ｂによる特図ゲームが一定期間以上実行されないときには、主基板１１から表示制御基板１２に送られるデモンストレーション映像の表示を指示するコマンドに応答して、図２７（Ｂ）に示すような報知情報６０Ｂが第４可変表示装置４Ｄの表示領域に表示されることにより、第２可変表示装置４Ｂによる特図ゲームにおける確変突入率が特定可能に報知される。」（段落【０１４６】）、
　「このとき、第４可変表示装置４Ｄでは、図２７（Ｄ）に示すように確変突入率を特定可能に報知するデモンストレーション映像が表示されたままとなっている。」(段落【０１４９】）、
　と記載されており、上記各記載における「デモンストレーション映像の表示」が「客待ち用画面の表示」であることは明らかであって、「確変突入率を特定可能に報知するデモンストレーション映像の表示」との記載から、引用文献３には「確率状態の報知を客待ち用画面に表示する」という技術的事項Ｃが実質的に記載されているといえる。
　更に、当審にて引用する特開２００４−１７３８２５号公報（以下、「引用文献４」という。）には、
　「パチンコ機１は、確率変動状態となっているか否かに関する情報（以下、「確変情報」という。）を表示させる確変表示ボタン２３を備えている。各変表示ボタン２３は、プッシュスイッチあるいはラッチ機能付スイッチとして、パチンコ機１のいずれかの部分に備えることや、タッチパネル式の図柄表示装置２２の表示画面に適宜表示して構成することが可能であるが、ここでは、図柄表示装置２２のタッチパネル上に表示する場合（図１１参照）を例に挙げて説明する。」（段落【００２０】）、
　「確変表示ボタン２３が押下されると、初めに、図２（ａ）に示すように、図柄表示装置２２が、確率変動状態となっている旨を示す「確変札」と、確率変動状態となっていない旨を示す「非確変札」とを表示する。次いで、図２（ｂ）に示すように、「確変札」と「非確変札」とが闘っているように演出表示し、その結果、図２（ｃ）に示すように、勝ち残った札によって、確変情報を表示する。」（段落【００２２】）、
　「また、確変表示ボタン２３の操作が行われることに対応して、確変情報が表示され（図６のステップＳ７，Ｓ１３参照）、次回の大当たりまで表示された状態が維持される。
以上のように、本実施の形態に係るパチンコ機１においては、大当たりの後、確率変動状態となっているか否かが、初期状態においては遊技者に報知されず、遊技者が確変表示ボタン２３を押下することにより、確変情報が演出表示される。」（段落【００３９】）、
　と記載されており、上記各記載における「確変表示ボタン２３」は本願補正発明の「遊技機本体が備える演出ボタン」に相当する。
　したがって、引用文献４には、本願補正発明の「遊技機本体が備える演出ボタンの遊技者による押し下げが行われると、遊技状態が前記高確率状態にある場合に遊技状態が当該高確率状態にあることの報知を表示することで行う、遊技機」に相当する技術的事項Ｄが実質的に記載されている。
　
　そうすると、引用発明も技術的事項Ｂ〜Ｄも遊技機に関するものであって、引用発明に技術的事項Ｂ〜Ｄを適用することに技術的困難性はないから、引用発明において、技術的事項Ｂを採用して客待ち用の画面の表示を「前記計測手段にて計測された前記停止期間が所定時間を超え」た場合に行うこととし、技術的事項Ｃを採用して客待ち用画面において遊技状態が前記高確率状態にある場合に遊技状態が当該高確率状態にあることの報知を表示することとするともに、当該高確率状態にあることの報知の契機として技術的事項Ｄの「遊技機本体が備える演出ボタンの遊技者による押し下げが行われる」ことを採用することにより、相違点３に係る本願補正発明の構成とすることは当業者にとって想到容易である。
　
　そして、本願補正発明の効果は、引用発明、上記技術的事項Ａ〜Ｄから当業者が予測できる範囲のものである。
　
　したがって、本願補正発明は、引用発明、引用文献２〜４に記載された技術的事項Ａ〜Ｄに基づいて、当業者が容易に発明をすることができたものであるから、特許法２９条２項の規定により特許出願の際独立して特許を受けることができないものである。
　
５．むすび
　以上のとおり、本件補正は、特許法１７条の２第６項で準用する同法１２６条７項の規定に違反するものであり、同法１５９条１項で準用する同法５３条１項の規定により却下されるべきものである。
　
第３．本願発明
１．本願発明の認定
　平成２４年５月１１日付けの手続補正は上記のとおり却下されたので、本願の請求項１に係る発明（以下、「本願発明」という。）は、平成２３年８月５日付けの手続補正書の特許請求の範囲の請求項１に記載された事項により特定されるものであって、前記「第２」「［理由］１．補正の内容」「（補正前）」に記載したとおりのものである。
　
２．進歩性の判断
（１）引用文献等
　拒絶の理由に引用された引用文献１及びその記載事項は、前記「第２」の「２．引用文献」に記載したとおりであり、引用文献２に記載された技術的事項Ａは「第２」の「４．判断」に記載したとおりである。　
　
（２）対比・判断
　本願発明は、前記「第２」で検討した本願補正発明から、「前記報知手段は、前記計測手段にて計測された前記停止期間が所定時間を超え、かつ、客待ち用の画面が表示され、さらに遊技機本体が備える演出ボタンの遊技者による押し下げ操作が行われると、遊技状態が前記高確率状態にある場合に遊技状態が当該高確率状態にあることの報知または示唆を当該客待ち用の画面に表示することで行い、または、遊技状態が当該高確率状態にあることを報知または示唆する画面を当該客待ち用の画面と交互に表示する」との構成を省いたものである。
　そうすると、相違点３は相違点として存在しなくなるから、前記「第２」の「４．判断」に記載したと同様に、相違点１、２を構成の一部とする本願発明は、引用発明及び引用文献２に記載された技術的事項Ａに基づいて当業者が容易に発明をすることができたものである。　
　
第４．むすび
　以上のとおり、本願発明は、引用発明及び引用文献２に記載された技術的事項Ａに基づいて、当業者が容易に発明をすることができたものであるから、特許法２９条２項の規定により特許を受けることができない。
　したがって、本願は、他の請求項について検討するまでもなく、拒絶すべきものである。
　よって、結論のとおり審決する。